(57)【要約】【課題】  地図データに反映させたい情報を容易に地図情報提供センタに通知できるようにする。【解決手段】  利用者によって入力された検索条件と一致する目的地を地図データから検索（Ｓ１００）し、検索条件と一致する目的地が検索されたか否かを判定（Ｓ１０２）し、検索条件と一致する目的地が検索されないと判定された場合、地図データを提供する地図情報提供センタ３へ検索条件を送信する（Ｓ１０８）。【選択図】        図２
2007024564.tif 000002
【特許請求の範囲】
【請求項１】
利用者によって入力された検索条件と一致する目的地を地図データから検索する目的地検索手段と、
前記目的地検索手段によって前記検索条件と一致する目的地が検索されたか否かを判定する判定手段と、
前記判定手段によって前記検索条件と一致する目的地が検索されないと判定された場合、前記地図データを提供する地図情報提供センタへ前記検索条件を送信する送信手段と、を備えたことを特徴とするナビゲーション装置。
【請求項２】
利用者の操作に応じて前記地図情報提供センタへ前記検索条件を自動送信するか否かを設定する自動送信設定手段を備え、
前記自動送信設定手段の設定が自動送信となっている場合、前記送信手段は前記検索条件を自動送信し、前記自動送信設定手段の設定が自動送信となっていない場合、前記送信手段は前記検索条件を自動送信しないことを特徴とする請求項１に記載のナビゲーション装置。
【請求項３】
前記検索条件を前記地図情報提供センタへ送信するか否かを利用者に確認する確認手段を備え、
前記確認手段によって利用者の確認がなされた場合、前記送信手段は前記検索条件を前記地図情報提供センタへ送信し、前記確認手段によって利用者の確認がなされない場合、前記送信手段は前記検索条件を前記地図情報提供センタへ送信しないことを特徴とする請求項１に記載のナビゲーション装置。
【発明の詳細な説明】
【技術分野】
【０００１】
本発明は、ナビゲーション装置に関する。
【背景技術】
【０００２】
従来、ナビゲーション装置には、ＥＴＣ車載器に接続され、車両がＥＴＣ路上機を通過する前に内蔵メディアから読み出し表示した通行料金と、ＥＴＣ車載器が実際に支払った最新の通行料金とが異なった場合、支払った最新の通行料金を料金情報蓄積センタに送信し、料金情報蓄積センタから有料道路の最新通行料金情報をタイムリーに得られるようにしたものがある（例えば、特許文献１参照）。
【特許文献１】特開２００４−１８５１２８号公報
【発明の開示】
【発明が解決しようとする課題】
【０００３】
ナビゲーション装置の内蔵メディアに記憶されている情報は、時間の経過とともに周囲の状況が変化すると古いものとなるため、特許文献１に記載の装置のように最新の情報に更新するのが好ましい。
【０００４】
ところで、ナビゲーション装置は、施設名称、電話番号、住所、ジャンル等、利用者によって入力された条件と一致する目的地（施設データ）を地図データから検索して表示する目的地検索機能を備えている。
【０００５】
しかし、例えば、利用者が新聞、テレビ、雑誌、口コミなどから新規にオープンした店舗の名称、電話番号、住所等を入手し、入手した情報で目的地検索を実行しても、新規にオープンした店舗に関する施設データが地図データに反映されていなければその店舗に関する情報を入手することはできない。
【０００６】
このような地図データの施設データは、タウンページに掲載されている情報などに基づいて反映されることが多いため、利用者の望む情報が反映されるとは限らない。
【０００７】
また、利用者がナビゲーション装置の製造メーカや地図情報提供センタに要望を出して地図データに反映させることも可能であるが、このような要望を出すのは面倒なため、多くの利用者は要望を出すことがない。このため、利用者の要望がナビゲーション装置の製造メーカや地図情報提供センタに伝達されることは少ない。
【０００８】
本発明は上記点に鑑みたもので、地図データに反映させたい情報を容易に地図情報提供センタに通知できるようにすることを目的とする。
【課題を解決するための手段】
【０００９】
上記目的を達成するため、本発明では、検索条件と一致する目的地が検索されないと判定した場合、地図データを提供する地図情報提供センタへ検索条件を送信する送信手段を備えたことを特徴としている。
【００１０】
このように、送信手段は、検索条件と一致する目的地が検索されないと判定した場合、地図データを提供する地図情報提供センタへ検索条件を送信するので、地図データに反映させたい情報を容易に地図情報提供センタに通知することが可能である。
【００１１】
また、利用者の操作に応じて地図情報提供センタへ検索条件を自動送信するか否かを設定する自動送信設定手段を備えているので、利用者は、予め検索条件を自動送信するか否かの設定をしておくだけで、検索条件を自動送信させたり、検索条件を自動で送信させないようにすることができる。
【００１２】
また、検索条件を地図情報提供センタへ送信するか否かを利用者に確認する確認手段を備えているので、利用者は、検索条件を送信するか否かを確認することができる。
【発明を実施するための最良の形態】
【００１３】
本発明の一実施形態に係るナビゲーション装置と地図情報提供センタの構成を図１に示す。ナビゲーション装置１は、位置検出器１１、地図データ入力器１６、操作スイッチ群１７、制御回路１８、外部メモリ１９、表示装置２０、リモコンセンサ２２、通信回路２５および音声出力装置２６を備えている。また、地図情報提供センタ（図中では、センタと称す）３は、地図情報データベース３０を備えている。
【００１４】
位置検出器１１は、周知の地磁気センサ１２、ジャイロスコープ１３、距離センサ１４および衛星からの電波に基づいて車両の位置を検出するためのＧＰＳ受信機１５を有している。
【００１５】
地図データ入力器１６は、ハードディスクドライブによって構成されており、このハードディスクドライブに記憶された地図データを入力する。
【００１６】
地図データは、道路片（リンク）および複数の道路片の接続点に該当する交差点（ノード）の位置、種別、交差点と道路片との接続関係情報等を含む道路データ、および施設データを有している。なお、施設データは、施設毎のエントリを複数有しており、各エントリは、対象とする施設の名称、電話番号、所在位置情報、施設のジャンル等を示すデータを有している。
【００１７】
操作スイッチ群１７は、複数の押しボタンスイッチおよびタッチパネル等の入力装置からなり、利用者による押しボタンスイッチの押下、タッチパネルのタッチに基づいた信号を制御回路１８に出力する。
【００１８】
外部メモリ１９は、制御回路１８の内部とは別に設けられる記憶部で、ＲＯＭあるいはＲＡＭなどから構成され、各種のデータやプログラムなどが記憶されるようになっている。
【００１９】
表示装置２０は、液晶ディスプレイ等の表示画面を有し、制御回路１８からの映像信号に応じて液晶ディプレイ等の表示画面に当該映像を表示させる。
【００２０】
リモコンセンサ２２は、利用者の操作に基づいて赤外線等による無線信号を送信するリモコン２３から受信した信号を制御回路１８へ出力する。
【００２１】
通信回路２５は、通信回線を介して地図情報提供センタ３と無線通信を行うためのもので、制御回路１８から入力される信号に応じた無線信号を送信するとともに、外部からの無線信号を受信して制御回路１８へ出力する。
【００２２】
音声出力装置２６は、スピーカを有し、制御回路１８からの音声信号に応じてスピーカに当該音声を出力させる。
【００２３】
制御回路１８は、メモリ、ＣＰＵ、Ｉ／Ｏ等を備えたコンピュータによって構成され、メモリに記憶されたプログラムに従って各種処理を行う。制御回路１８は、位置検出器１１にて検出した自車位置と地図データ入力器１６から読み出した地図データに基づいて自車位置周辺の地図上に自車位置マークを重ねて表示装置２０の表示画面に表示させる地図表示機能や、施設名称、電話番号、住所、ジャンル等、利用者によって入力された条件と一致する目的地（施設データ）を地図データから検索して表示する目的地検索機能等を有している。
【００２４】
地図情報提供センタ３は、具体的には、コンピュータによって構成されており、このコンピュータは通信回線に接続されている。また、地図情報提供センタ３は、地図情報データベース３０を有し、この地図情報データベース３０には最新の地図データが記憶されている。
【００２５】
上記した構成において、本実施形態における制御回路１８は、利用者の操作によって入力された検索条件で目的地検索を実行し、この検索条件と一致する目的地が検索されない場合、その検索条件を地図情報提供センタ３へ送信する処理を行う。
【００２６】
次に、図２を参照して、この処理について説明する。利用者のイグニッションスイッチの操作に応じてバッテリからナビゲーション装置１に電源が供給されると、制御回路１８は、自車位置を検出する自車位置検出処理等を開始する。また、利用者の操作スイッチ群１７あるいはリモコン２３の操作により目的地検索の実行が指示されると図２に示す処理を開始する。
【００２７】
まず、目的地検索を実行する（Ｓ１００）。具体的には、利用者の操作スイッチ群１７あるいはリモコン２３の操作より、５０音検索、電話番号検索、住所検索、ジャンル検索などの中から特定の目的地検索が指定され、検索条件と検索実行指示が入力されると、入力された検索条件と一致する施設データを地図データ入力器１６の地図データから検索する。例えば、電話番号検索が指定されている場合、入力された電話番号と一致する電話番号を有する施設データを地図データ入力器１６の地図データから検索する。
【００２８】
次に、入力された検索条件と一致する施設が検索されたか否かに基づいて目的地が見つかったか否かを判定する（Ｓ１０２）。
【００２９】
ここで、入力された検索条件と一致する施設が検索された場合、Ｓ１０２の判定はＹＥＳとなり、次に、検索結果を表示装置２０の表示画面に表示し、本処理を終了する。なお、この後、利用者によって表示画面に表示された検索結果の中から特定の施設が指定されると、指定された施設を目的地として経路探索を行い、更に、経路案内が指示されると目的地までの経路案内を実施する。
【００３０】
また、入力された検索条件と一致する施設が検索されない場合、Ｓ１０２の判定はＮＯとなり、次に、検索条件の自動送信の設定がオン（ＯＮ）か否かを判定する（Ｓ１０６）。
【００３１】
ここで、検索条件の自動送信の設定とは、検索条件を地図情報提供センタ３へ自動送信するか否かの設定である。本実施形態では、利用者が予め図３に示す設定画面に従って検索条件の自動送信のオン（ＯＮ）またはオフ（ＯＦＦ）を設定すると、設定した内容が外部メモリ１９に記憶されるようになっている。この外部メモリ１９に記憶された内容に基づいて検索条件の自動送信の設定がオン（ＯＮ）か否かを判定する。
【００３２】
検索条件の自動送信の設定がオン（ＯＮ）となっている場合、Ｓ１０６の判定はＹＥＳとなり、地図情報提供センタ３へ検索条件を自動送信し（Ｓ１０８）、本処理を終了する。なお、地図情報提供センタ３のコンピュータには、このようなナビゲーション装置１から送信される検索条件が随時蓄積される。
【００３３】
検索条件の自動送信の設定がオフ（ＯＦＦ）となっている場合、次に、図４に示すようなコーション表示を行い、「検索できなかった情報をセンタへ送信しますか？」といった内容とともに「ＹＥＳ」、「ＮＯ」のいずれかの選択を促す確認画面を表示装置２０の表示画面に表示させる（Ｓ１１０）。
【００３４】
次に、この確認画面に従って利用者が「ＹＥＳ」を選択したか「ＮＯ」を選択したかに基づいて検索条件を送信するか否かを判定する（Ｓ１１２）。
【００３５】
ここで、利用者が「ＹＥＳ」を選択すると、Ｓ１１２の判定はＹＥＳとなり、Ｓ１０８の処理へ進む。
【００３６】
また、利用者が「ＮＯ」を選択すると、Ｓ１１２の判定はＮＯとなり、本処理を終了する。
【００３７】
このように、利用者によって入力された検索条件と一致する施設が地図データに反映されている場合、Ｓ１０２においてＹＥＳと判定され、検索結果が表示装置２０の表示画面に表示される。したがって、検索条件が地図情報提供センタ３へ送信されることはない。
【００３８】
また、例えば、新規にオープンした店舗に関する施設データが地図データに反映されていないような場合、Ｓ１０２においてＮＯと判定され、検索条件の自動送信の設定がオンとなっている場合、Ｓ１０６においてＹＥＳと判定され、検索条件が地図情報提供センタ３へ自動送信される。
【００３９】
また、検索条件の自動送信の設定がオフとなっていても、図４に示した確認画面に従って利用者が「ＹＥＳ」を選択すると、検索条件が地図情報提供センタ３へ自動送信される。
【００４０】
上記した構成によれば、利用者によって入力された検索条件と一致する目的地を地図データから検索し、検索条件と一致する目的地が検索されたか否かを判定し、検索条件と一致する目的地が検索されないと判定された場合、地図データを提供する地図情報提供センタ３へ検索条件を送信する。
【００４１】
したがって、検索条件と一致する目的地が検索されないと判定した場合、地図データを提供する地図情報提供センタ３へ検索条件を送信するので、地図データに反映させたい情報を容易に地図情報提供センタに通知することが可能である。
【００４２】
この結果、ナビゲーション装置１の利用者が望む情報が地図情報提供センタ３に多数寄せられ、地図情報提供センタの作業者は、これらの情報に基づいて利用者の望む情報を地図データベース３０に反映させることができる。
【００４３】
また、利用者の操作に応じて地図情報提供センタ３へ検索条件を自動送信するか否かを設定することができるので、利用者は、予め検索条件を自動送信するか否かの設定をしておくだけで、検索条件を自動で送信させたり、検索条件を自動で送信させないようにすることができる。
【００４４】
また、検索条件を地図情報提供センタへ送信するか否かを利用者に確認する確認画面を表示するので、利用者は、検索条件を送信するか否かを確認することができる。これにより、利用者が送信したい検索条件のみを確認して地図情報提供センタへ送信することができ、無駄な通信をなくすことができる。
【００４５】
なお、上記実施形態における構成と特許請求の範囲の構成との対応関係について説明すると、Ｓ１００の処理が目的地検索手段に相当し、Ｓ１０２の処理が判定手段に相当し、Ｓ１０８の処理が送信手段に相当し、図３に示す設定画面を表示する処理が自動送信設定手段に相当し、Ｓ１１０の処理が確認手段に相当する。
【００４６】
なお、本発明は上記実施形態に限定されるものではなく、本発明の趣旨に基づいて種々なる形態で実施することができる。
【００４７】
例えば、上記実施形態では、検索条件の自動送信の設定がオンとなっていない場合（Ｓ１０６でＮＯと判定された場合）に、図４に示した確認画面を表示させて（Ｓ１１０）、利用者に検索条件を送信するか否かを判定する（Ｓ１１２）例を示したが、Ｓ１０６の判定をなくし、常にＳ１１０、Ｓ１１２の処理を行うようにして、利用者が検索条件を送信するか否かを常に確認するようにしてもよい。
【００４８】
また、上記実施形態では、利用者によって入力された検索条件で目的地検索を実行し、この検索条件と一致する目的地が検索されない場合、その検索条件を地図情報提供センタ３へ送信する処理を行う例を示したが、例えば、検索条件に詳細情報を付加したデータを地図情報提供センタ３へ送信するようにしてもよい。例えば、電話番号検索を実施して検索されなかった場合、電話番号に店舗の名前やジャンル等の詳細情報を追加する画面を表示装置２０の表示画面に表示させ、ユーザの操作により追加された詳細情報を電話番号に付加したデータを地図情報提供センタ３へ送信してもよい。
【図面の簡単な説明】
【００４９】
【図１】本発明の一実施形態に係るナビゲーション装置と地図情報提供センタの構成を示す図である。
【図２】利用者によって入力された条件を地図情報提供センタへ送信する処理を示す図である。
【図３】検索条件の自動送信の設定画面の表示例を示す図である。
【図４】検索できなかった情報のセンタへの送信を確認するコーション表示の表示例を示す図である。
【符号の説明】
【００５０】
１…ナビゲーション装置、１１…位置検出器、１２…地磁気センサ、
１３…ジャイロスコープ、１４…距離センサ、１５…ＧＰＳ受信機、
１６…地図データ入力器、１７…操作スイッチ群、１８…制御回路、
１９…外部メモリ、２０…表示装置、２２…リモコンセンサ、２３…リモコン、
２５…通信回路、３…地図情報提供センタ、３０…地図情報データベース。 
【図１】
2007024564.tif 000003
【図２】
2007024564.tif 000004
【図３】
2007024564.tif 000005
【図４】
2007024564.tif 000006